(57)【要約】【課題】  ツインシュリンクスリーブ包装機の提供。【解決手段】  シュリンクフィルム輸送装置を利用しシュリンクフィルムスリーブをガイド装置上方の中心ガイド柱に送り、並びに伝送輪セットと相互に対応するローラにより、シュリンクフィルムスリーブをそれと対応する下方の中心ガイド柱に送り、さらに上方と下方の中心ガイド柱の間に設けられたカッタ装置でシュリンクフィルムスリーブを切断し、さらに切断後のシュリンクフィルムスリーブをその上方のシュリンクフィルムスリーブにより下向きに押して移動させ、さらにもう一組の伝送輪セットとローラの作用により、シュリンクフィルムスリーブを輸送道内側の回転輪上の被包装物の外側に嵌合させ、シュリンクフィルムスリーブに被包装物全体を被覆させ、さらに熱加工装置に送り、熱加工装置がシュリンクフィルムスリーブを緊密に被包装物に貼り付ける。【選択図】        図３
2005170461.tif 000002
【特許請求の範囲】
【請求項１】
機台（１）と、シュリンクフィルム輸送装置（２）と、ガイド装置（３）と、カッタ装置（４）と、微調整装置（５）と、二つの回転輪（７）とを具え、
該機台（１）は、一側に熱加工装置（６）を具え、別側にシュリンクフィルム載置輪（１０）が設けられ、
該シュリンクフィルム輸送装置（２）は、固定フレーム（２０）を具え、この固定フレーム（２０）に複数の固定ローラ軸（２１）、（２２）、（２３）が設けられ、固定ローラ軸（２１）、（２２）、（２３）の下方にガイド装置（３）が設けられ、
該ガイド装置（３）は、二組の中心ガイド柱（３０）、（３００）を具え、二組の中心ガイド柱（３０）、（３００）の中間にカッタ装置（４）が設けられ、上方にそれぞれ固定板（３３）、（３０３）が設けられ、二組の中心ガイド柱（３０）、（３００）の中部と下部周辺にそれぞれ伝送輪セット（３１）、（３２）、（３０１）、（３０２）が設けられ、二組の中心ガイド柱（３０）、（３００）上の伝送輪セット（３１）、（３２）、（３０１）、（３０２）に対応する部分に、ローラ（３１０）、（３２０）、（３１１）、（３１２）が設けられ、上方の一組の中心ガイド柱（３０）に対応するローラ（３１０）、（３２０）と微調整装置（５）の調整軸（５０）が組み合わされ、ガイド装置（３）下方に回転輪（７）が取り付けられ、ガイド装置（３）の外側に、上カバー（３４）、ドア（３５）が設けられてガイド装置（３）を保護し、
該カッタ装置（４）は、二組の中心ガイド柱（３０）、（３００）の中間に取り付けられた長方形体とされ、該長方形体の両側の対応部分に弾性手段（４０）が取り付けられ、並びに弾性手段（４０）の上方にカッタ（４１）が取り付けられ、該カッタ（４１）が水平移動して中央に至り、シュリンクフィルムスリーブ（Ａ）を切断し、
該微調整装置（５）は、調整軸（５０）を具え、該調整軸（５０）がガイド装置（３）のローラ（３１０）、（３２０）、（３１１）、（３１２）の組み合わされて、該ローラ（３１０）、（３２０）、（３１１）、（３１２）と伝送輪セット（３１）、（３２）、（３０１）、（３０２）の間の距離を調整し、
該二つの回転輪（７）は、円形体とされ、その端面に等距離で同形体の円弧孔（７０）が凹設され、この二つの回転輪（７）の正逆回転を利用し、二つの同じ或いは異なる被包装物（Ｂ）に、ガイド装置（３）で輸送し、カッタ装置（４）で切断したシュリンクフィルムスリーブを嵌合することを特徴とする、ツインシュリンクスリーブ包装機。
【請求項２】
請求項１記載のツインシュリンクスリーブ包装機において、二組の中心ガイド柱（３０）、（３００）の外周の伝送輪セット（３１）、（３２）、（３０１）、（３０２）とローラ（３１０）、（３２０）、（３１１）、（３１２）が相互に組み合わされて回転することにより、シュリンクフィルムスリーブ（Ａ）が導入されることを特徴とする、ツインシュリンクスリーブ包装機。
【発明の詳細な説明】
【技術分野】
【０００１】
本発明は一種のシュリンク包装機に係り、特に、一種のツインシュリンクスリーブ包装機に関する。
【背景技術】
【０００２】
現在周知のツインシュリンクスリーブ包装機は、シュリンクフィルムスリーブを第１端より全体のシュリンクフィルムスリーブの一辺に貼り付け、第２端を第１端の外側に貼り付けるか、或いは第２端の別の面を全体のシュリンクフィルムスリーブの別の辺に貼り付けて、第１端と第２端間に適当な長さの隔壁を形成し、シュリンクフィルムスリーブに二つの同じ或いは異なる収容空間を形成させる。しかし、接着液は量を制御しにくく、シュリンクフィルムスリーブがこのために剥離しやすく、且つ接着液中に水分が含まれるため、液体に接触後に接着の機能が失われ、且つ接着の方式は時間がかかり、作業効率に影響を与え、並びに品質を不安定とし、また輸送時に被包装物に嵌合されたシュリンクフィルムスリーブが偏移を発生しやすく、加熱収縮後にゆがみを形成して外観が悪くなり、不良率が高くなり、量産品質に影響を与える。
【発明の開示】
【発明が解決しようとする課題】
【０００３】
本発明は上述の、被包装物に嵌合されるシュリンクフィルムスリーブに発生する偏移、熱収縮後のゆがみ現象を防止するため、二つの同じ或いは異なる包装物の形状とサイズに合わせて迅速にガイド装置及びカッタ装置を調整でき、並びに熱加工装置の作用により、確実にシュリンクフィルムスリーブを被包装物にきれいに貼り合わせることができるツインシュリンクスリーブ包装機を提供することを目的としている。
【課題を解決するための手段】
【０００４】
請求項１の発明は、機台（１）と、シュリンクフィルム輸送装置（２）と、ガイド装置（３）と、カッタ装置（４）と、微調整装置（５）と、二つの回転輪（７）とを具え、
該機台（１）は、一側に熱加工装置（６）を具え、別側にシュリンクフィルム載置輪（１０）が設けられ、
該シュリンクフィルム輸送装置（２）は、固定フレーム（２０）を具え、この固定フレーム（２０）に複数の固定ローラ軸（２１）、（２２）、（２３）が設けられ、固定ローラ軸（２１）、（２２）、（２３）の下方にガイド装置（３）が設けられ、
該ガイド装置（３）は、二組の中心ガイド柱（３０）、（３００）を具え、二組の中心ガイド柱（３０）、（３００）の中間にカッタ装置（４）が設けられ、上方にそれぞれ固定板（３３）、（３０３）が設けられ、二組の中心ガイド柱（３０）、（３００）の中部と下部周辺にそれぞれ伝送輪セット（３１）、（３２）、（３０１）、（３０２）が設けられ、二組の中心ガイド柱（３０）、（３００）上の伝送輪セット（３１）、（３２）、（３０１）、（３０２）に対応する部分に、ローラ（３１０）、（３２０）、（３１１）、（３１２）が設けられ、上方の一組の中心ガイド柱（３０）に対応するローラ（３１０）、（３２０）と微調整装置（５）の調整軸（５０）が組み合わされ、ガイド装置（３）下方に回転輪（７）が取り付けられ、ガイド装置（３）の外側に、上カバー（３４）、ドア（３５）が設けられてガイド装置（３）を保護し、
該カッタ装置（４）は、二組の中心ガイド柱（３０）、（３００）の中間に取り付けられた長方形体とされ、該長方形体の両側の対応部分に弾性手段（４０）が取り付けられ、並びに弾性手段（４０）の上方にカッタ（４１）が取り付けられ、該カッタ（４１）が水平移動して中央に至り、シュリンクフィルムスリーブ（Ａ）を切断し、
該微調整装置（５）は、調整軸（５０）を具え、該調整軸（５０）がガイド装置（３）のローラ（３１０）、（３２０）、（３１１）、（３１２）の組み合わされて、該ローラ（３１０）、（３２０）、（３１１）、（３１２）と伝送輪セット（３１）、（３２）、（３０１）、（３０２）の間の距離を調整し、
該二つの回転輪（７）は、円形体とされ、その端面に等距離で同形体の円弧孔（７０）が凹設され、この二つの回転輪（７）の正逆回転を利用し、二つの同じ或いは異なる被包装物（Ｂ）に、ガイド装置（３）で輸送し、カッタ装置（４）で切断したシュリンクフィルムスリーブを嵌合することを特徴とする、ツインシュリンクスリーブ包装機としている。
請求項２の発明は、請求項１記載のツインシュリンクスリーブ包装機において、二組の中心ガイド柱（３０）、（３００）の外周の伝送輪セット（３１）、（３２）、（３０１）、（３０２）とローラ（３１０）、（３２０）、（３１１）、（３１２）が相互に組み合わされて回転することにより、シュリンクフィルムスリーブ（Ａ）が導入されることを特徴とする、ツインシュリンクスリーブ包装機としている。
【発明の効果】
【０００５】
１．本発明は二つの同じ或いは異なる被包装物にシュリンクフィルムスリーブを嵌合させることのできるツインシュリンクスリーブ包装機である。
２．本発明はローラと伝送輪セットの間の距離を微調整装置により調整できる。
【発明を実施するための最良の形態】
【０００６】
本発明は、機台と、シュリンクフィルム輸送装置と、ガイド装置と、カッタ装置と、微調整装置と、二つの回転輪とで構成される。それは、シュリンクフィルム輸送装置を利用しシュリンクフィルムスリーブをガイド装置上方の中心ガイド柱に送り、並びに伝送輪セットと相互に対応するローラにより、シュリンクフィルムスリーブをそれと対応する下方の中心ガイド柱に送り、さらに上方と下方の中心ガイド柱の間に設けられたカッタ装置でシュリンクフィルムスリーブを切断し、さらに切断後のシュリンクフィルムスリーブをその上方のシュリンクフィルムスリーブにより下向きに押して移動させ、さらにもう一組の伝送輪セットとローラの作用により、シュリンクフィルムスリーブを輸送道内側の回転輪上の被包装物の外側に嵌合させ、シュリンクフィルムスリーブに被包装物全体を被覆させ、さらに熱加工装置に送り、熱加工装置がシュリンクフィルムスリーブを緊密に被包装物に貼り付ける。
【０００７】
本発明のツインシュリンクスリーブ包装機は、シュリンクフィルムスリーブを二つの同じ或いは異なる被包装物に嵌合させることができ、生産が迅速に行なえ、操作に便利で製品の品質が優れたツインシュリンクスリーブ包装機である。
【実施例１】
【０００８】
図１、２、３、９を参照されたい。本発明のツインシュリンクスリーブ包装機は、機台（１）と、シュリンクフィルム輸送装置（２）と、ガイド装置（３）と、カッタ装置（４）と、微調整装置（５）と、二つの回転輪（７）で構成されている。それは、シュリンクフィルム輸送装置（２）を利用しシュリンクフィルムスリーブ（Ａ）をガイド装置（３）上方の一組の中心ガイド柱（３０）に送り、中心ガイド柱（３０）に組み合わされた伝送輪セット（３１）、（３２）により、シュリンクフィルムスリーブ（Ａ）をもう一組の中心ガイド柱（３００）に送り（図３、４参照）、且つ上方と下方の中心ガイド柱（３０）、（３００）間に設けられたカッタ装置（４）でシュリンクフィルムスリーブ（Ａ）を挟持し（図５）、さらにカッタ装置（４）中に設けられたカッタ（４１）でシュリンクフィルムスリーブ（Ａ）を切断し（図６）、切断後のシュリンクフィルムスリーブ（Ａ’）をその上方のシュリンクフィルムスリーブ（Ａ）により下向きに押して移動させ、さらにもう一組の中心ガイド柱（３００）に組み合わされた伝送輪セット（３０１）、（３０２）の作用により横断面が８字形とされたシュリンクフィルムスリーブ（Ａ）（図７）を、輸送道内側の回転輪（７）上の被包装物Ｂの外周に落とし、シュリンクフィルムスリーブ（Ａ）に被包装物Ｂを被覆させ（図７）、さらに熱加工装置（６）中に伝送し、熱気によりシュリンクフィルムスリーブ（Ａ）を緊密に被包装物（Ｂ）に密着させる。
【０００９】
上述の機台（１）は、側部にシュリンクフィルム載置輪（１０）を具え、それは断面が８字状となるように双筒状とされた後のシュリンクフィルムスリーブ（Ａ）のロールを支持し、且つシュリンクフィルム載置輪（１０）の上方に設置されたシュリンクフィルム輸送装置（２）がシュリンクフィルムスリーブ（Ａ）をガイド装置（３）に送る。
【００１０】
該シュリンクフィルム輸送装置（２）は、シュリンクフィルム載置輪（１０）の上方に設けられ、固定フレーム（２０）を具え、該固定フレーム（２０）に複数の固定ローラ軸（２１）、（２２）、（２３）が設けられ、該固定ローラ軸（２１）、（２２）、（２３）の回転によりシュリンクフィルムスリーブ（Ａ）をガイド装置（３）の中心ガイド柱（３０）に送る。
【００１１】
該ガイド装置（３）は、機台（１）の中央上方に設けられ（図３）、それは二組の中心ガイド柱（３０）、（３００）を具え、それぞれが固定板（３３）、（３０３）を具えた中心ガイド柱（３０）、（３００）の周囲の中部と下部周囲に伝送輪セット（３１）、（３２）、（３０１）、（３０２）が設けられ、二組の中心ガイド柱（３０）、（３００）上の伝送輪セット（３１）、（３２）、（３０１）、（３０２）に対応する部分に、ローラ（３１０）、（３２０）、（３１１）、（３１２）が設けられ、ローラ（３１０）、（３２０）は微調整装置（５）の調整軸（５０）に組み合わされる。また、ガイド装置（３）の外部に上カバー（３４）、ドア（３５）が設けられてガイド装置（３）の毀損を防止している。
【００１２】
該カッタ装置（４）は、ガイド装置（３）の中心ガイド柱（３０）、（３００）の中間に取り付けられた長方形体とされ、その両側に弾性手段（４０）が取り付けられ、並びに弾性手段（４０）の上方にカッタ（４１）が取り付けられている。
該微調整装置（５）は、手動の微調整装置（５）であり、調整軸（５０）によりガイド装置（３）中のローラ（３１０）、（３２０）、（３１１）、（３１２）に組み合わされる（図１０、図１１）。
【００１３】
該熱加工装置（６）は、機台（１）の一側に設けられ、且つシュリンクフィルムスリーブ（Ａ）を緊密に被包装物（Ｂ）に貼り付ける（図９）。
【００１４】
該回転輪（７）は、円形体とされ、その適当な部分に円弧孔（７０）が設けられ、被包装物（Ｂ）と組み合わされる（図８）。
【００１５】
操作時には、シュリンクフィルムスリーブ（Ａ）がシュリンクフィルム載置輪（１０）よりシュリンクフィルム輸送装置（２）に送られ、固定フレーム（２０）上の固定ローラ軸（２１）、（２２）、（２３）を経由してガイド装置（３）に送られ、並びに伝送輪セット（３１）、（３２）でシュリンクフィルムスリーブ（Ａ）が中心ガイド柱（３０）に送られ、並びに伝送輪セット（３１）、（３２）及び相互に対応するローラ（３１０）、（３２０）の作用により、シュリンクフィルムスリーブ（Ａ）がもう一組の中心ガイド柱（３００）に導入され（図４）、且つ上方と下方の中心ガイド柱（３０）、（３００）の間に設けられたカッタ装置（４）がシュリンクフィルムスリーブ（Ａ）を挟持し（図５）、カッタ装置（４）中のカッタ（４１）の水平移動によりシュリンクフィルムスリーブ（Ａ）が切断される（図６）。切断後のシュリンクフィルムスリーブ（Ａ’）はその上のシュリンクフィルムスリーブ（Ａ）により下向きに押され、、さらに下方の中心ガイド柱（３００）中の伝送輪セット（３０１）、（３０２）及び相互に対応するローラ（３１１）、（３１２）の作用により、８字形断面のシュリンクフィルムスリーブ（Ａ）（図７）が回転輪（７）上の被包装物（Ｂ）に送られ（図８）、シュリンクフィルムスリーブ（Ａ）が全体の被包装物（Ｂ）を被覆し、さらに熱加工装置（６）により熱気でシュリンクフィルムスリーブ（Ａ）が緊密に被包装物（Ｂ）に貼り付けられる（図９）。
【００１６】
被包装物（Ｃ）の形態や大きさが改変される時、ガイド装置（３）の中心ガイド柱（３０）、（３００）はその高さを調整できる（図１０）。
二つの中心ガイド柱（３０）、（３００）に組み合わされたローラ（３１０）、（３２０）、（３１１）、（３１２）と伝送輪セット（３１）、（３２）、（３０１）、（３０２）の距離が遠過ぎるか、或いは近過ぎる時、微調整装置（５）の調整軸（５０）でローラ（３１０）、（３２０）、（３１１）、（３１２）と伝送輪セット（３１）、（３２）、（３０１）、（３０２）の距離を調整できる（図１１、１２）。
【図面の簡単な説明】
【００１７】
【図１】本発明の外観斜視図である。
【図２】本発明の立体組合せ図である。
【図３】本発明の正面図である。
【図４】本発明のガイド装置の動作表示図である。
【図５】本発明のカッタ装置のシュリンクフィルムスリーブ切断動作表示図である。
【図６】本発明のガイド装置がシュリンクフィルムスリーブを送る動作図である。
【図７】本発明のシュリンクフィルムスリーブ形成立体図である。
【図８】本発明の被包装物転送表示図である。
【図９】本発明の被包装物の熱加工装置への輸送表示図である。
【図１０】本発明のガイド装置が異なる高さの被包装物にシュリンクフィルムスリーブを送る動作図である。
【図１１】本発明の微調整装置の平面図である。
【図１２】本発明の微調整装置の上下左右の調整表示図である。
【符号の説明】
【００１８】
Ａ、Ａ’  シュリンクフィルムスリーブ        Ｂ  被包装物
Ｃ  被包装物
（１）機台
（１０）シュリンクフィルム載置輪
（２）シュリンクフィルム輸送装置
（２０）固定フレーム
（２１）、（２２）、（２３）固定ローラ軸
（３）ガイド装置
（３０）、（３００）中心ガイド柱
（３１）、（３２）、（３０１）、（３０２）伝送輪セット
（３１０）、（３２０）、（３１１）、（３１２）ローラ
（３３）、（３０３）固定板
（３４）上カバー
（３５）ドア
（４）カッタ装置
（４１）カッタ
（５）微調整装置
（５０）調整軸
（６）熱加工装置
（７）回転輪
（７０）円弧孔
【図１】
2005170461.tif 000003
【図２】
2005170461.tif 000004
【図３】
2005170461.tif 000005
【図４】
2005170461.tif 000006
【図５】
2005170461.tif 000007
【図６】
2005170461.tif 000008
【図７】
2005170461.tif 000009
【図８】
2005170461.tif 000010
【図９】
2005170461.tif 000011
【図１０】
2005170461.tif 000012
【図１１】
2005170461.tif 000013
【図１２】
2005170461.tif 000014